(57)【特許請求の範囲】
【請求項１】
情報を表示する表示部と、
音声を出力するスピーカと、
音声を集音するマイクと、
他の携帯電話機からの着信を検出する着信検出部と、
前記スピーカと前記マイクの位置関係を検出する状態検出部と、
前記着信検出部が着信を検出した場合において前記状態検出部が前記スピーカと前記マイクの位置関係が所定の位置関係にあると検出したときは、自機の傾きを正すことを示唆する第１の情報と前記他の携帯電話機に関する第２の情報とを重ならないように前記表示部に表示する表示制御部と、
を有する携帯端末装置。
【請求項２】
前記表示制御部は、前記着信検出部が着信を検出した場合において前記状態検出部が前記スピーカと前記マイクの位置関係が所定の位置関係にないと検出したときは、前記他の携帯電話機と通話を開始するための操作ボタンを前記表示部に表示し、前記着信検出部が着信を検出した場合において前記状態検出部が前記スピーカと前記マイクの位置関係が所定の位置関係にあると検出したときは、前記操作ボタンを前記表示部に表示しないこと、
を特徴とする請求項１記載の携帯端末装置。
【請求項３】
前記表示制御部は、前記第１の情報として、前記スピーカ及び／または前記マイクの位置を示す情報を前記表示部に表示する
ことを特徴とする請求項１又は請求項２に記載の携帯端末装置。
【請求項４】
着信の応答を制御する制御部をさらに備え、
該制御部は、前記着信検出部が着信を検出した場合において、前記状態検出部が前記スピーカと前記マイクの位置関係が所定の位置関係にあると検出したときは、前記着信に対する応答の操作を無効とする操作制御部を備えることを特徴とする請求項１記載の携帯端末装置。
【請求項５】
前記所定の位置関係とは、前記スピーカが、前記マイクに対して鉛直下方に位置する関係であることを特徴とする請求項１乃至請求項４のいずれか一つに記載の携帯端末装置。
【発明の詳細な説明】
【技術分野】
【０００１】
本発明は、携帯端末装置の発着信時の通知表示に関する発明である。
【背景技術】
【０００２】
近年、タッチパネルを搭載した携帯電話機が登場している。タッチパネルを搭載した携帯電話では、ユーザーは、入力操作を画像上に表示された操作キーによって行うことができる。そのため、従来の携帯電話機に設けられている物理的な操作キーを設けるスペースが不要となり、空いたスペースを利用して、より大きいディスプレイを携帯電話機に搭載することができる。
【０００３】
しかしながら、携帯電話機に設けられる物理的な操作キーの数が減ることにより、携帯電話機の向きを判断するための外観的な特徴が乏しくなる。そのため、ユーザーは、携帯電話機を誤って逆向きに保持する虞がある。このような場合、携帯電話機のディスプレイに表示される画像は、逆向きの画像となるため、ユーザーは、携帯電話機を正しい向きに保持し直す手間を強いられることになる。
【０００４】
上述の課題を解決する為に、特許文献１には、ユーザーが携帯電話機を保持した方向に応じて、表示される画像の向きを制御することが記載されている。特許文献１に記載の技術により、ユーザーは、たとえ誤った向きで携帯電話機を保持している場合であっても、携帯電話機を保持している方向を変えることなく操作を継続することができる。
【先行技術文献】
【特許文献】
【０００５】
【特許文献１】特開２００９−２２４８９６公報
【発明の概要】
【発明が解決しようとする課題】
【０００６】
しかしながら、特許文献１に記載の技術では、画像の向きはユーザーが携帯電話機を保持した方向に応じて適正に表示されるが、マイクやスピーカ等のデバイスは、保持した方向に応じて配置を変えることはできない。
【０００７】
そのため、特許文献１に記載の技術では、着信に応答する場合に、画像の向きからはマイクとスピーカの位置を判断することが難しいため、スピーカとマイクとを適正な位置にて使用することができない虞がある。適正な位置にて使用することができない虞とは、例えば、ユーザーがスピーカに自身の口を、マイクに自身の耳をあててしまう虞である。また、ユーザーが発信を行う場合にも同様の問題が起こる虞がある。
【０００８】
本発明は、上記した課題に鑑みてなされたものであり、ユーザーが携帯電話機を誤った向きで操作していることにより、通話が困難となることを防止することを目的とする。
【課題を解決するための手段】
【０００９】
上記した課題を解決する本発明の携帯端末装置は、情報を表示する表示部と、音声を出力するスピーカと、音声を集音するマイクと、他の携帯電話機からの着信を検出する着信検出部と、前記スピーカと前記マイクの位置関係を検出する状態検出部と、前記着信検出部が着信を検出した場合において前記状態検出部が前記スピーカと前記マイクの位置関係が所定の位置関係にあると検出したときは、自機の傾きを正すことを示唆する第１の情報と前記他の携帯電話機に関する第２の情報とを重ならないように前記表示部に表示する表示制御部と、を有することを特徴とする。
【発明の効果】
【００２０】
本発明によれば、ユーザーが音声に関する機能を実行する場合に、音声に関する機能の利用が困難となることを防止することが可能な携帯端末装置を提供することができる。
【図面の簡単な説明】
【００２１】
【図１】本発明の実施の形態の一例を示す携帯端末装置１００の外観斜視図。
【図２】本発明の実施の形態の一例を示す携帯端末装置１００のブロック構成図。
【図３】図２に示す携帯端末装置１００の表示制御部１０６が行う処理の説明図。
【図４】図２に示す携帯端末装置１００の角度検出部１６５が行う角度検出方法の説明図。
【図５】図２に示す携帯端末装置１００の角度検出部１６５が行う角度検出方法の説明図。
【図６】図２に示す携帯端末装置１００のＲＡＭ１９０に記憶されたメモリマップ。
【図７】図２に示す携帯端末装置１００の制御部１７０の内部構成図。
【図８】本発明の実施の形態の一例を示す電話発着信プログラムのフローチャート。
【図９】図２に示す携帯端末装置１００の表示部１１０に表示される画像の概略図。
【図１０】本発明の実施の形態の一例を示す電話発着信プログラムのフローチャート。
【図１１】図２に示す携帯端末装置１００の表示部１１０に表示される画像の概略図。
【図１２】図２に示す携帯端末装置１００の表示部１１０に表示される画像の概略図。
【図１３】図２に示す携帯端末装置１００の表示部１１０に表示される画像の概略図。
【発明を実施するための形態】
【００２２】
本発明の実施の形態に係る携帯端末装置は、ユーザーが通話に関する操作を行っている場合、携帯端末装置の向きを検出して、誤った向きであると判断したとき、ユーザーに通知を行う。本実施の形態を図１〜図１３を用いて説明する。
【００２３】
〔構成〕
まず、図１〜図７を用いて携帯端末装置の構成について説明する。
【００２４】
図１は、携帯端末装置の外観斜視図である。
【００２５】
図１に示す携帯端末装置１００の外観には、タッチパネル１０５、操作部１２０、発光部１３０、スピーカ１４０、マイク１５０が備えられている。
【００２６】
図２は、携帯端末装置１００のブロック構成図である。図２に示す携帯端末装置１００は、タッチパネル１０５、操作部１２０、発光部１３０、スピーカ１４０、Ｄ/Ａコンバ
ータ１４５、マイク１５０、Ａ／Ｄコンバータ１５５、振動部１６０、角度検出部１６５、制御部１７０、ＲＯＭ１８０（ＲＥＡＤ  ＯＮＬＹ  ＭＥＭＯＲＹ）、ＲＡＭ１９０（ＲＡＮＤＯＭ  ＡＣＣＥＳＳ  ＭＥＭＯＲＹ）、Ｉ/Ｆ（入出力インターフェース）２０
０、外部メモリ２１０、無線回路２４０、アンテナ２５０、撮影部２６０によって構成されている。
【００２７】
タッチパネル１０５は、表示制御部１０６、表示部１１０、タッチパネル入力部１１５を含む。
【００２８】
表示制御部１０６は、制御部１７０から出力された制御信号に基づいて、ＲＯＭ１８０、ＲＡＭ１９０、外部メモリ２１０のいずれかに記憶された画像データを表示部１１０に表示させる。また、表示制御部１０６は、ユーザーの操作に基づき、表示部１００に画像データの向きを反転させてから表示させる。
【００２９】
ここで、表示制御部１０６が、表示部１１０に表示させる画像データの向きを反転させる制御について図３を用いて説明する。図３（ａ）は、携帯端末装置１００のスピーカ１４０がマイク１５０よりも上方にある状態である。このような状態では、表示制御部１０６は、画像データを図３（ａ）の向きで表示部に表示させる。図３（ｂ）は、携帯端末装置１００のスピーカ１４０がマイク１５０よりも下方にある状態である。このような状態では、表示制御部１０６は、表示部に、画像データを反転させてから表示させる。つまり、図３（ｂ）のように、ユーザーが携帯端末装置１００を操作している向きが誤っていても、表示部に表示される画像は反転されているので、ユーザーは、携帯端末装置１００の向きを直すことなく操作をできる(※「継続」を削除)。
【００３０】
表示部１１０は、表示制御部１０６からの出力に基づいて、携帯端末装置１００に備えられた機能を実行するために必要な各種情報を表示する。各種情報とは、例えば、機能メニュー、メール、アドレス帳、電話の着信履歴や発信履歴、メールの送信履歴や受信履歴、データフォルダに保存された文字データや画像データなどである。表示部１１０は、例えば液晶ディスプレイ、有機ＥＬ（ＥＬＥＣＴＲＯＬＵＭＩＮＥＳＣＥＮＣＥ）ディスプレイ、プラズマディスプレイ、電子ペーパーなどにより実現される。本実施例においては、表示部１１０は液晶ディスプレイにて構成されることとする。
【００３１】
タッチパネル入力部１１５は、ユーザーが指やペンなどを用いて触れた位置を検出して、位置に応じた座標を制御部１７０に出力するポインティングデバイスである。タッチパネル入力部１１５は、表示部１１０の上面に配置される。ユーザーが指やペンなどを用いてタッチパネル入力部１１５に触れるとは、例えば、タッチパネル入力部１１５の表面を指やペンなどを用いて押したり、撫でたり、描いたりすることである。つまり、タッチパネル入力部１１５は、ユーザーが押した位置、撫でた方向、描いた図形などの座標を制御部１７０に出力する。タッチパネル入力部１１５は、例えば、静電気による電気信号を検知する静電容量結合式や抵抗膜方式、光学式などで実現が可能である。
【００３２】
操作部１２０は、ユーザーからの操作を入力として受け付ける。操作部１２０が受け付けた入力は、信号として制御部１７０に出力される。なお、本実施の形態においては、操作部１２０は、携帯端末装置１００の側面に設けている。
【００３３】
発光部１３０は、制御部１７０から出力された制御信号によって外部へ光を照射する。発光部１３０は、例えば、ＬＥＤに代表される発光素子などにより構成される。発光部１３０は、電話着信、電話発信、メール受信、メール送信、音楽データ再生、アラーム日時到来などを、外部へ光を照射することによりユーザーへ報知する。
【００３４】
スピーカ１４０は、制御部１７０から出力された制御信号によって外部に音を出力する機能を有する。スピーカ１４０は、Ｄ/Ａコンバータ１４５を介して制御部１７０と接続
されている。
【００３５】
Ｄ/Ａコンバータ１４５は、制御部１７０から出力されたデジタル信号をアナログ信号
に変換する。Ｄ/Ａコンバータ１４５は、変換したアナログ信号を、スピーカ１４０へ出
力する。
【００３６】
マイク１５０は、音声などの外部からの音を入力する機能を有する。マイク１５０は、
入力された音をアナログ信号としてＡ／Ｄコンバータ１５５に出力する。マイク１５０は、Ａ／Ｄコンバータ１５５を介して制御部１７０と接続されている。Ａ／Ｄコンバータ１５５は、マイク１５０より入力されたアナログの音声信号を、デジタル信号へ変換して、制御部１７０に出力する。
【００３７】
振動部１６０は、制御部１７０から出力された制御信号によって機械的振動を生じる。振動部１６０は、例えば、モーターなどから構成される。振動部１６０は着信、メールの受信、アラーム日時到来などを機械的振動によってユーザーへ報知する。
【００３８】
角度検出部１６５は、携帯端末装置１００が予め定められた基準状態からの傾き角度を検知する。予め定められた基準状態とは、例えば、表示部１１０が備えられた面が、地面に対して水平となるような状態である。角度検出部１６５は、検知した角度に関する情報を制御部１７０に出力する。角度検出部１６５は、例えば、角度センサや加速度センサなどにより構成される。
【００３９】
次に、角度検出部１６５が検出する傾き角度について、図４、及び、図５を用いて説明する。図４に示す回転軸４１０は、携帯端末装置１００の長手方向と垂直に、かつ、携帯端末装置１００の中心を通る線である。
【００４０】
図５は、図４に示した矢印の方向より携帯端末装置１００の側面を見た簡略図である。図５（ａ）には、本実施例における携帯端末装置１００の基準状態を示す。本実施例においては、携帯端末装置１００の基準状態とは、図５（ａ）のように地面５１５に対して表示部１１０を有する面が地面に対して水平となる状態と定義する。つまり、地面に対して水平となり、かつ、表示部１１０を含む面を基準面５１０と定義する。角度検出部１６５は、回転軸４１０を中心軸として携帯端末装置１００が基準状態から傾けられたときの傾き角度を検出する。
【００４１】
図５（ｂ）、図５（ｃ）、図５（ｄ）、図５（e）には、携帯端末装置１００が傾いた
状態の例を示す。  図５（ｂ）、図５（ｃ）、図５（ｄ）、図５（e）に示すように、携
帯端末装置１００が傾いた状態における表示部１１０と同一の面を、傾き面５２０と定義する。図５（ｂ）、（ｃ）は、スピーカ１４０が基準面５１０よりも上方の位置になるように携帯端末装置１００が傾いた状態を示す図である。このような場合、角度検出部１６５は図５（ｂ）、（ｃ）に示す基準面５１０と傾き面５２０がなす角度を検出する。図５（ｄ）、図５（e）は、スピーカ１４０が基準面５１０よりも下方の位置になるように携
帯端末装置１００が傾いた状態を示す図である。このような場合、角度検出部１６５は、図５（ｄ）、図５（e）に示すように基準面５１０と傾き面５２０がなす角度を検出する
。
【００４２】
制御部１７０は、携帯端末装置１００に備えられたソフトウェアやハードウェアを制御する。例えば、制御部１７０は、操作部１２０、または、タッチパネル入力部１１５がユーザーより受け付けた入力に基づいて、携帯端末装置１００に備えられた各種機能を実行する。また、制御部１７０は、ＲＯＭ１８０やＲＡＭ１９０や外部メモリ２１０に記憶されたプログラムを実行する。制御部１７０がプログラムを実行するために備える構成について、図６を用いて説明する。
【００４３】
図６は、ＲＡＭ１９０に記憶されている情報の配置（以下、メモリマップと呼ぶ）を示す。メモリマップには、プログラム記憶領域６１０とデータ記憶領域６３０が含まれる。
【００４４】
プログラム記憶領域６１０には、電話発着信プログラム６２０などが含まれる。データ記憶領域６３０には、アドレス帳６４０、角度検出バッファ６５０、電話番号選択先バッ
ファ６６０、電話番号入力バッファ６７０、通知データ６８０などが含まれる。
【００４５】
プログラム記憶領域６１０に記憶されているプログラムについて説明する。
【００４６】
電話発着信プログラム６２０は、通話を行う際に、携帯端末装置１００がユーザーに正しい向きで保持されているか否かを判断し、携帯端末装置１００が通話を行うために支障をきたす誤った向きで保持されていると判断した場合、ユーザーに通知を行い、向きが直されたとき通話を開始する処理を行う。電話発着信プログラム６２０については、図８、及び、図１０を用いて後ほど詳しく説明する。
【００４７】
メール本文表示プログラムは、メールを受信した際にメール本文を表示する操作が行われた場合データ記憶領域６３０に記憶されているデータについて説明する。データ記憶領域６３０は、アドレス帳６４０、角度検出バッファ６５０、電話番号選択バッファ６６０、電話番号入力バッファ６７０、通知データ６８０を含む。
【００４８】
アドレス帳６４０には、ユーザーによって入力された他の通信端末装置に電話発信やメール送信を行うために必要なアドレス情報が記憶されている。アドレス情報とは、電話番号やメールアドレスなどを含む情報である。またアドレス情報には、電話番号やメールアドレスと関連付けて、例えば、氏名、メモリ番号、住所、誕生日、グループ（例えば学校や仕事先などの所属に関する情報）などが記憶される。
【００４９】
角度検出バッファ６５０は、角度検出部１６５が検出した携帯端末装置１００の基準状態からの傾き角度を一時記憶する。
【００５０】
電話番号選択バッファ６６０は、ユーザーが電話発信を行う際に、操作部１２０、または、タッチパネル入力部１１５によりアドレス帳６４０から選択した電話番号を一時記憶する。
【００５１】
電話番号入力バッファ６７０は、ユーザーが操作部１２０、または、タッチパネル入力部１１５により入力した電話番号を一時保存するバッファである。
【００５２】
近接バッファ６７５は、近接センサ２８０が検出した結果を一時保存するバッファである。
【００５３】
通知データ６８０には、ユーザーが携帯端末装置１００を正しい向きで保持していないことを通知するためのデータが記憶されている。
【００５４】
なお、プログラム記憶領域６１０、及び、データ記憶領域６３０には、上記した以外にも携帯端末装置１００に備えられた各種機能を実行するために必要なプログラム、及び、データが記憶されているものとする。
【００５５】
図２の説明に戻る。ＲＯＭ１８０は、携帯端末装置１００に備えられた機能を実行するためのプログラムやデータなどを記憶する。
【００５６】
ＲＡＭ１９０は、制御部１７０からアクセス可能であり、制御部１７０が各種処理を実行するための一時記憶領域として利用される。
【００５７】
Ｉ/Ｆ２００には、着脱可能な外部メモリ２１０が装着される。制御部１７０は、Ｉ/Ｆ２００を介して外部メモリ２１０へのアクセスが可能であり、例えば、外部メモリ２１０に記憶されたプログラムやデータなどを読み出して実行する。外部メモリ２１０は、プロ
グラムやデータなどを記憶する媒体であればよく、例えば、メモリーカード、ＨＤＤ（ＨＡＲＤ  ＤＩＳＣ  ＤＲＩＶＥ）、ＳＩＭカードなどがある。また上記プログラムやデータには、外部メモリ２１０から直接読み出し実行可能なプログラムに限られず、暗号化されたプログラム、圧縮処理されたプログラム、画像データ、音声データ、文章データなどが含まれる。
【００５８】
無線回路２４０は、アンテナ２５０から入力された所定の高周波信号に復調処理及び復号処理を施してデジタルの音声信号へと変換する。また、無線回路２４０は、制御部１７０から入力されたデジタルの音声信号には符号化処理及び変調処理を施して、高周波信号に変換する。そして、無線回路２４０は高周波信号をアンテナ２５０へ出力する。
【００５９】
アンテナ２５０は、所定の周波数の電磁波を受信して高周波信号として無線回路２４０に出力する。また無線回路２４０より出力された高周波信号を所定の周波数の電磁波として出力する。
【００６０】
撮影部２６０は、カメラ機能やビデオ機能を備える。撮影部２６０が取得した画像や動画は、ＲＯＭ１８０やＲＡＭ１９０や外部メモリ２１０に保存される。撮影部２６０は、例えば、ＣＣＤ（ＣＨＡＲＧＥ  ＣＯＵＰＬＥＤ  ＤＥＶＩＣＥ）カメラや、ＣＭＯＳ（ＣＯＭＰＬＥＭＥＮＴＡＲＹ  ＭＥＴＡL  ＯＸＩＤＥ  ＳＥＭＩＣＯＮＤＵＣＴＯＲ）
カメラなどにより構成される。なお撮影部２６０は、図１に示した携帯端末装置１００の筐体裏面に備えられているため図１には図示していない。
【００６１】
録音部２７０は、マイク１５０より入力された音声などの外部からの音を録音する機能を有する。また、録音部２７０は、ユーザーが他端末からの電話の着信に対して応答しなかった場合、無線回路２４０より入力された他端末からの音を録音する。録音部２７０が録音した音は、ユーザーによるタッチパネル入力部１１５や操作部１２０からの入力によって、スピーカ１４０を介して出力される。
【００６２】
近接センサ２８０は、携帯端末装置１００に検出対象が近接していることを検出する。また、近接センサ２８０は、検出した結果を電気信号として制御部１７０に出力する。さらに、近接センサ２８０が検出した結果は、近接バッファに保持される。例えば、ユーザーが通話を行う場合に端末を耳に近づけたとき、近接センサ２８０は近接したと検出する。一方、ユーザーが端末を耳から遠ざけたとき、近接センサ２８０は近接していないと検出する。近接センサ２８０は、赤外線センサや超音波センサなどで構成される。
【００６３】
図７は、ＲＡＭ１９０に記憶されたプログラムを実行するために、制御部１７０に備えられた構成を示す図である。制御部１７０は、電話発着信処理部７１０、判断部７２０、状態検出部７３０、通知部７４０を含む。
【００６４】
電話発着信処理部７１０は、ＲＡＭ１９０に記憶された電話発着信プログラム６２０を実行する。
【００６５】
判断部７２０は、操作部１２０、または、タッチパネル入力部１１５がユーザーより受け付けた入力が何を実行するための入力であるかを判断する。例えば、判断部７２０は、操作部１２０、または、タッチパネル入力部１１５がユーザーより受け付けた入力がアドレス帳６４０を開くための入力であるか否か、通話を開始するための入力であるか否か、着信を開始するための入力であるか否かなどを判断する。また、判断部７２０は、ユーザーによって携帯端末装置１００が保持されたか否かを判断する。その判断は、例えば、操作部１２０、または、タッチパネル入力部１１５がユーザーより入力を受け付けたか否かにより行う。
【００６６】
状態検出部７３０は、角度検出部１６５が検出した傾き角度に基づいて携帯端末装置１００の向きが正しいか否かを判断する。正しい向きとは、スピーカ１４０がマイク１５０の上方位置にあるユーザーが携帯端末装置１００を用いて通話を行う際に支障がない向きをいう。また、誤った向きとは、スピーカ１４０がマイク１５０の下方位置にあり、ユーザーが携帯端末装置１００を用いて通話を行う際に支障を生じる向きをいう。
【００６７】
次に、状態検出部７３０が行う携帯端末装置１００の向きの判断方法について説明する。基準面５１０よりもマイク１５０が上側にある傾き状態を＋の傾き方向と定義して、角度検出部１６５が検出した角度が１度〜＋１８０度の場合、判断部７２０は、携帯端末装置１００が正しい向きで保持されていると判断する。そして、基準面５１０よりもマイク１５０が下側にある傾き状態を−の傾き方向と定義して、角度検出部１６５が検出した角度が０度〜−１７９度の場合、判断部７２０は、携帯端末装置１００が誤った向きで保持されていると判断する。
【００６８】
つまり、図５（ｂ）、図５（ｃ）に図示した状態においては、マイク１５０がスピーカ１４０よりも下方の位置にある状態であるから、判断部７２０は、ユーザーが通話を行う際に支障がない向きで携帯端末装置１００が保持されていると判断する。
【００６９】
対して、図５（ｄ）、図５（e）に図示した状態においては、マイク１５０がスピーカ
１４０よりも上方の位置にある状態であるから、判断部は、ユーザーが通話を行う際に支障を生じる向きで携帯端末装置１００が保持されていると判断する。
【００７０】
通知部７４０は、状態検出部７３０が携帯端末装置１００の向きが誤っていると判断した場合、ユーザーに通知を行う。通知方法としては、例えばＲＡＭ１９０に記憶された通知データ６８０を、表示制御部１０６を介して表示部１１０に表示することにより行う。また、状態検出部７３０が携帯端末装置１００の向きが誤っていると判断した場合、通知部７４０は、スピーカ１４０や発光部１３０を、制御部１７０を介して制御することによりユーザーに携帯端末装置１００の向きが誤っている事を通知する。
【００７１】
ここで、表示部１１０に表示する通知データ６８０の一例を、図９、図１１に示す。図９は、携帯端末装置１００に着信があった場合に通知する通知データ６８０である。図９（ａ）に示す画像では、ユーザーにマイク１５０とスピーカ１４０の位置を知らせることにより携帯端末装置１００を正しい向きに保持するよう促す。図９（ｂ）に示す画像では、ユーザーが携帯端末装置１００を逆向きに保持している事を警告して、ユーザーにマイク１５０とスピーカ１４０の位置を知らせることにより携帯端末装置１００を正しい向きに保持するよう促す。図９のような画像を表示しているときに、ユーザーは、携帯端末装置１００を正しい向きに保持すれば、画面上に表示された応答を選択する、また、操作部１２０へ通話を開始する入力を行うことにより通話を開始する。
【００７２】
図１１に示す画像は、ユーザーが携帯端末装置１００を誤った向きで保持している場合に、発信を行うとき表示部１１０に表示される画像である。図１１（ａ）に示す画像では、ユーザーにマイク１５０とスピーカ１４０の位置を知らせることにより携帯端末装置１００を正しい向きに保持するよう促す。図１１（ｂ）に示す画像では、ユーザーが携帯端末装置１００を逆向きに保持している事を通知して、ユーザーに携帯端末装置１００を正しい向きに保持するよう促す。
【００７３】
操作制御部７５０は、通知部７４０が通知を行っているときに、操作部１２０、または、タッチパネル入力部１１５にユーザーより着信に応答する入力、または、発信を開始する入力があった場合、これらの入力を無効とする制御を行う。無効とする制御を行うこと
によってユーザーが通話に支障を生じる向きで通話を開始することを防止することができる。
【００７４】
〔動作処理〕
次に、電話発着信処理部７１０が処理を実行する電話発着信プログラム６２０について図８を用いて説明する。
【００７５】
電話発着信プログラム６２０では、まず判断部７２０が、携帯端末装置１００に着信があるか否かを判断する（Ｓ１５０）。判断部７２０が、携帯端末装置１００に着信がないと判断した場合、電話発着信処理部７１０は、図１０に示すフローチャートの処理へ移行する。
【００７６】
一方、制御部１７０が、アンテナ２５０を介して着信があると判断した場合、次に、角度検出部１６５が、携帯端末装置１００の傾き角度を検出する（Ｓ１６０）。
【００７７】
次に、状態検出部７３０は、角度検出部１６５が検出した角度に基づいて、ユーザーによって正しい向きで携帯端末装置１００が保持されているか否かを判断する（Ｓ１７０）。
【００７８】
Ｓ１５０において、状態検出部７３０が、ユーザーによって正しい向きで携帯端末装置１００が保持されていると判断した場合、続いて、判断部７２０が、ユーザーによって操作部１２０、または、タッチパネル入力部１１５に通話を開始するための入力があったか否かを判断する（Ｓ１８０）。
【００７９】
判断部７２０が、通話を開始するための入力があったと判断した場合、次に、通話部は、無線回路２４０を制御して通話を開始する（Ｓ１９０）。
【００８０】
一方、判断部７２０が、通話を開始するための入力がなかったと判断した場合、電話発着信処理部７１０は、再度Ｓ１６０の処理を実行する。
【００８１】
Ｓ１７０の処理において、状態検出部７３０が、ユーザーによって誤った向きで携帯端末装置１００が保持されていると判断した場合、電話着発信処理部７１０は、Ｓ１７５の処理を実行する。
【００８２】
Ｓ１７５の処理では、通知部７４０は図９に示すような画像を、表示制御部１０６を介して表示部１１０に表示する。図９に示すような画像を表示することによって、ユーザーに携帯端末装置１００を保持している向きが誤っていることを通知して、誤った向きで携帯端末装置１００を保持した状態で通話が開始されることを防止する。
【００８３】
Ｓ１７５の処理を実行後、電話発着信処理部７１０は再度Ｓ１６０の処理を実行する。
【００８４】
次に、Ｓ１５０の処理において、制御部１７０が、着信がないと判断した場合に行う電話発信に関する処理を、図１０を用いて説明する。
【００８５】
Ｓ１５０において、制御部１７０が、アンテナ２５０を介して携帯端末装置１００に対して着信がないと判断した場合、次に、判断部７２０は、ユーザーによって操作部１２０又はタッチパネル入力部１１５にアドレス帳６４０を開くための入力があったか否かを判断する（Ｓ２１０）。
【００８６】
判断部７２０が、ユーザーによって操作部１２０又はタッチパネル入力部１１５を用い
てアドレス帳６４０を開く入力があったと判断した場合、表示制御部１０６は、表示部１１０にアドレス帳６４０に記憶されたアドレス情報を表示させる（Ｓ２２０）。
【００８７】
次に、ユーザーが操作部１２０又はタッチパネル入力部１１５を用いてアドレス情報に含まれる電話番号を選択する入力に基づき、制御部１７０は、選択された電話番号を電話番号選択バッファ６６０に一時記憶する（Ｓ２３０）。
【００８８】
一方、判断部７２０は、ユーザーによって操作部１２０又はタッチパネル入力部１１５を用いてアドレス帳６４０を開く入力を受け付けていないと判断した場合、続いて、電話番号の入力の受け付けがあったか否かを判断する（Ｓ２１２）。
【００８９】
判断部７２０が、ユーザーにより電話番号の入力があったと判断した場合、表示制御部１０６によって、電話番号表示画像が表示部１１０に表示される（Ｓ２１４）。
【００９０】
次に制御部１７０は、操作部１２０又はタッチパネル入力部１１５からユーザーによって入力された電話番号を電話番号入力バッファ６７０に一時記憶する（Ｓ２１６）。
【００９１】
一方、判断部７２０は、電話番号の入力がなかったと判断した場合、電話発着信処理部７１０は、図８のＳ１１０の処理を再度実行する。
【００９２】
Ｓ２３０、または、Ｓ２１６の処理においてユーザーによって操作部１２０又はタッチパネル入力部１１５を用いて電話番号を選択する入力を受け付けた後、次に、角度検出部１６５は、携帯端末装置１００の傾き角度を検出する（Ｓ２４０）。
【００９３】
次に、検出された傾き角度に基づいて、状態検出部７３０は、ユーザーによって正しい向きで携帯端末装置１００が保持されているか否かを判断する（Ｓ２５０）。
【００９４】
状態検出部７３０は、ユーザーによって携帯端末装置１００が正しい向きで保持されていると判断した場合、次に、判断部７２０は、操作部１２０又はタッチパネル入力部１１５からユーザーにより、通話を開始するための入力があったか否かを判断する（Ｓ２６０）。
【００９５】
判断部７２０が、操作部１２０又はタッチパネル入力部１１５からユーザーによって通話を開始するための入力があったと判断した場合、制御部１７０は無線回路２４０を制御して通話を開始する（Ｓ２７０）。
【００９６】
一方、判断部７２０が、操作部１２０又はタッチパネル入力部１１５からユーザーにより通話を開始するための操作が入力されていないと判断した場合、電話発着信処理部７１０は、再度Ｓ２４０の処理を実行する。
【００９７】
Ｓ２５０の処理において、状態検出部７３０が、ユーザーによって誤った向きで携帯端末装置１００が保持されていると判断した場合、通知部７４０は、図１１に示すような画像を、表示制御部１０６を介して表示部１１０に表示する（Ｓ２５５）。
【００９８】
図１１に示すような画像を表示部１１０に表示することによって、ユーザーに、携帯端末装置１００を保持している向きが誤っていることを通知して、誤った向きで携帯端末装置１００を保持した状態で通話が開始されることを防止する。
【００９９】
なお上記した実施例は、本発明の携帯端末装置１００に係る実施の一例であり、本発明の実施の形態に記載した範囲内において適宜変更できるものとする。
【０１００】
例えば、通知部７４０が通知を行うタイミングは、ユーザーが操作部１２０、または、タッチパネル入力部１１５よりアドレス帳６４０を開く入力を行ったときであってもよい。通知を行う他のタイミングとしては、携帯端末装置１００に備えられた表示部１１０にテンキーが表示されて、ユーザーが操作部１２０、または、タッチパネル入力部１１５より、電話番号の入力を開始したときであってもよい。通知を行う他のタイミングとしては、ユーザーが操作部１２０、または、タッチパネル入力部１１５より、電話番号の入力を完了したときであってもよい。
【０１０１】
例えば、通知部７４０が行う通知方法は、表示制御部１０６が表示部１１０に表示させる画像を反転することにより行ってもよい。
【０１０２】
例えば、通知部７４０はスピーカ１４０や発光部１３０を、制御部１７０を介して制御することによりユーザーに携帯端末装置１００の向きが誤っている事を通知することとしたが、通知は通知部７４０を介さずとも制御部１７０がスピーカ１４０や発光部１３０を制御することにより行ってもよい。
【０１０３】
例えば、通知部７４０が行う通知方法は、表示制御部１０６が表示部１１０に通話を開始するためのボタンを表示しないこととしてもよい。具体的には、図９（ａ）、（ｂ）に示す画像においては、表示部１１０に応答を表示しないこととしてもよい。また、図１１（ａ）、（ｂ）に示す画像においては、表示部１１０に発信ボタンを表示しないこととしてもよい。上記の通り着信に対する応答を行うための応答や、発信を開始するための発信を表示部１１０に表示しないことによって、ユーザーが、通話が困難な状態になることを防止することができる。
【０１０４】
例えば、操作部１２０は携帯端末装置１００に備えられた表示部１１０と同一面上に備えることとしてもよい。
【０１０５】
例えば、電話発着信プログラム６２０は、操作部１２０、または、タッチパネル入力部１１５からユーザーによって電話発着信プログラム６２０を中断する入力があった場合、いずれの処理を実行している場合においても電話発着信プログラム６２０を中断することとしてもよい。
【０１０６】
例えば、本実施例においては、操作制御部７５０は、通知部７４０が通知を行っている場合に、操作部１２０、または、タッチパネル入力部１１５がユーザーより着信に応答する入力を受け付けたとき、または、発信を開始する入力を受け付けたとき、これらの入力を無効とする制御を行うことした。しかし、他の実施例として、操作制御部７５０によりユーザーからの入力の操作を無効とする制御を行わず、ユーザーからの通話を開始する入力を有効として通話を開始することとしてもよい。
【０１０７】
例えば、ユーザーが携帯端末装置１００を逆向きで保持している場合において、撮影部２６０によって取得した画像や動画は、向きを逆転してＲＯＭ１８０、ＲＡＭ１９０、または、外部メモリ２１０に保存される。このような場合、保存された画像や動画を表示部１１０に表示する際に、通知部７４０は、向きを反転して表示していることを通知することとしてもよい。
【０１０８】
例えば、ユーザーが携帯端末装置１００を逆向きで保持している場合に、操作制御部７５０は、使用に支障をきたす機能に関する操作を無効にする。具体的には、ユーザーが携帯端末装置１００を逆向きで保持している場合に、操作制御部７５０は、撮影部２６０に関する操作を無効にする。そして、通知部７４０は、図９（ｂ）に示すような画像を表示
部１１０に表示することとしてもよい。なお、上記実施例においては、ユーザーが携帯端末装置１００を正しい向きで保持し直した場合は、ユーザーからの撮影部２６０に関する入力の操作を有効にすることとしてもよい。
【０１０９】
例えば、本発明はユーザーから操作部１２０又はタッチパネル入力部１１５を用いて録音部２６０に録音された音を再生する入力を受け付けた場合や、録音部２６０へ音の録音を開始する入力を受け付けた場合に実施することとしてもよい。つまり、ユーザーからの操作により録音した音を再生する場合や、ユーザーが音を録音する場合に、携帯端末装置１００は向きを検出し、ユーザーが誤った向きで携帯端末装置１００を持っていると判断した場合は、通知を行うこととしてもよい。このような処理を携帯端末装置１００が実行することにより、ユーザーが録音機能を使用する際に支障を生じすることを防止できる。
【０１１０】
例えば、ユーザーが携帯端末装置１００を誤った向きで持っている場合に、携帯端末装置１００に着信があったとき、図１２（ａ）に示すように着信に対して応答するためのボタンを表示部１１０に表示しないこととしてもよい。また、図１２（ｂ）中の点線で示すように、表示部１１０に表示される応答に関するボタンを、輝度を落として表示することとしてもよい。携帯端末装置１００が表示部１１０にこのような表示を行うことによって、ユーザーが着信に応答したときに、通話が困難な状態になることを防止することができる。
【０１１１】
さらに、ユーザーが発信を行う場合にも図１3（ａ）、（ｂ）に示すような画面が携帯
端末装置１００によって表示部１１０に表示されることとしてもよい。携帯端末装置１００が表示部１１０にこのような表示を行うことによって、ユーザーが通話を行う場合に、通話が困難となることを防止することができる。
【０１１２】
例えば、通話中に近接センサ２８０が検出対象の近接を検出したとき、携帯端末装置１００は表示部１１０の表示を消す。また、携帯端末装置１００は表示部１１０を構成する液晶ディスプレイに備えられたバックライトを消灯することとしてもよい。つまり、ユ−ザーが携帯端末装置１００を耳にあてて使用している場合に、携帯端末装置１００は省電力のために表示部１１０へ画像の表示を行わないこととしてもよい。
【０１１３】
また、通話中に近接センサ２８０が近接していることを検出した後に、近接していることを検出しなくなった場合は、再度、図８に示すＳ１６０〜Ｓ１７５、または図Ｓ２４０〜Ｓ２５５に示すような処理を実行することとしてもよい。つまり、ユーザーが携帯端末装置１００を耳に当てて通話を行っている場合に、携帯端末装置１００を机などに置いた後、再度、手に持ったときは、携帯端末装置１００が持たれた向きを検出する。そして、携帯端末装置１００は誤った向きで持たれていることを検出したとき、向きを誤っている事をユーザーに通知することとしてもよい。携帯端末装置１００がこのような処理を実行することにより、ユーザーが通話に支障をきたすことを防止することができる。
【符号の説明】
【０１１４】
１００  携帯端末装置
１０５  タッチパネル
１２０  操作部
１３０  発光部
１４０  スピーカ
１５０  マイク
１６０  振動部
１６５  角度検出部
１７０  制御部
１８０  ＲＯＭ
１９０  ＲＡＭ
２００  Ｉ／Ｆ
２１０  外部メモリ
２４０  無線回路
２５０  アンテナ
２６０  撮影部
２７０  録音部
２８０  近接センサ
６１０  プログラム記憶領域
６２０  電話発着信プログラム
６２５  音声プログラム
６３０  データ記憶領域
６４０  アドレス帳
６５０  角度検出バッファ
６６０  電話番号選択バッファ
６７０  電話番号入力バッファ
６７５  近接バッファ
６８０  通知データ
７１０  電話発着信処理部
７２０  判断部
７３０  状態検出部
７４０  通知部
７５０  操作制御部
【図１】
0005890563.tif 000002
【図２】
0005890563.tif 000003
【図３】
0005890563.tif 000004
【図４】
0005890563.tif 000005
【図５】
0005890563.tif 000006
【図６】
0005890563.tif 000007
【図７】
0005890563.tif 000008
【図８】
0005890563.tif 000009
【図９】
0005890563.tif 000010
【図１０】
0005890563.tif 000011
【図１１】
0005890563.tif 000012
【図１２】
0005890563.tif 000013
【図１３】
0005890563.tif 000014